(57)【要約】【課題】  エレベータコールを留守モードや防犯モードへの移行操作に連動させることで、別途エレベータコール操作しなくてもエレベータを自動的にコールすることができる集合住宅インターホンシステムを提供する。【解決手段】  制御装置４は居住者が利用するエレベータを制御するエレベータ制御装置５と接続され、居室親機２は防犯モードへ移行させる防犯設定ボタン２３を有し、防犯設定ボタン２３が操作されたら防犯モードへ移行を開始すると共に、特定の遅延時間が経過したら制御装置４にエレベータを動作させるためのエレベータコール信号を送信する親機ＣＰＵ２７を有し、制御装置４はエレベータコール信号を受けて呼出元の居室親機２のあるフロアにエレベータ籠が移動するようエレベータ制御装置５にエレベータ誘導信号を送信する。【選択図】  図３
2017152973.tif 000002
【特許請求の範囲】
【請求項１】
来訪者が居住者を呼び出すための集合玄関機と、前記集合玄関機からの呼び出しに居住者が応答するための居室親機と、各機器間の通信を制御する制御装置とを有する集合住宅インターホンシステムであって、
前記制御装置は、居住者が利用するエレベータを制御するエレベータ制御装置と接続されると共に、前記居室親機の設置フロアを記憶する居室親機フロア情報記憶部を有する一方、
前記居室親機は、留守モード或いは防犯モードへ移行させるモード移行操作部を有して、前記モード移行操作部が操作されたら、前記留守モード或いは防犯モードへ移行を開始すると共に、即時或いは特定の遅延時間が経過した後に前記制御装置にエレベータを動作させるためのエレベータコール信号を送信する親機制御部を有し、
前記制御装置は、前記エレベータコール信号を受けて、呼出元の前記居室親機のあるフロアにエレベータ籠が移動するよう前記エレベータ制御装置にエレベータ誘導信号を生成して送信するエレベータ誘導信号生成部を有することを特徴とする集合住宅インターホンシステム。
【請求項２】
前記モード移行操作部の操作が防犯モードへの移行操作であり、
前記親機制御部は、防犯モードへの移行が完了したら前記エレベータコール信号を送信することを特徴とする請求項１記載の集合住宅インターホンシステム。
【請求項３】
前記制御装置は、前記エレベータコール信号を受け付けないフロアが登録された禁止フロア記憶部を有し、
前記エレベータ誘導信号生成部は、前記エレベータコール信号送信元の前記居室親機が前記禁止フロア記憶部に登録された禁止フロアにある場合は、前記エレベータ誘導信号を生成しないことを特徴とする請求項１又は２記載の集合住宅インターホンシステム。
【発明の詳細な説明】
【技術分野】
【０００１】
本発明は集合住宅インターホンシステムに関し、特に居室親機にエレベータ呼出機能を備えた集合住宅インターホンシステムに関する。
【背景技術】
【０００２】
従来より、居室親機の操作で居室親機のあるフロアまでエレベータを呼び出しできる集合住宅インターホンシステムがある。例えば特許文献１では、住戸の場所からエレベータまでの距離が個々の住戸において異なるため、エレベータコール操作してから実際に呼出信号（登録信号）を送出するまでに遅延時間を設けて、個々の居住者に対して好ましい時間にエレベータ籠が到着するよう制御した。
【先行技術文献】
【特許文献】
【０００３】
【特許文献１】特開２００３−１１２８６０号公報
【発明の概要】
【発明が解決しようとする課題】
【０００４】
上記従来の技術は、居室親機のエレベータコールボタンを操作することで、操作したフロアにエレベータを呼ぶことができたが、不在時に来訪者があったら自動録画したり音声を録音する留守モードや、接続されている人感センサや窓センサ等のセキュリティセンサを起動させる防犯モードへ移行させる機能を備えた居室親機の場合は、外出時はエレベータコール操作に加えて留守モードや防犯モードへの移行操作を必要とするため、操作が面倒であった。
特に防犯モードへの移行操作は、タイマー動作を伴うため神経がそれに集中してしまい、別途エレベータコール操作をし忘れる状態が発生した。この場合、従来のようにエレベータホールに到着してから操作し忘れに気づき呼び出しボタンを操作することになり、エレベータコール機能が十分に機能していなかった。
【０００５】
そこで、本発明はこのような問題点に鑑み、エレベータコールを留守モードや防犯モードへの移行操作に連動させることで、別途エレベータコール操作しなくてもエレベータを自動的にコールすることができる集合住宅インターホンシステムを提供することを目的とする。
【課題を解決するための手段】
【０００６】
上記課題を解決する為に、請求項１の発明は、来訪者が居住者を呼び出すための集合玄関機と、集合玄関機からの呼び出しに居住者が応答するための居室親機と、各機器間の通信を制御する制御装置とを有する集合住宅インターホンシステムであって、制御装置は、居住者が利用するエレベータを制御するエレベータ制御装置と接続されると共に、居室親機の設置フロアを記憶する居室親機フロア情報記憶部を有する一方、居室親機は、留守モード或いは防犯モードへ移行させるモード移行操作部を有して、モード移行操作部が操作されたら、留守モード或いは防犯モードへ移行を開始すると共に、即時或いは特定の遅延時間が経過した後に制御装置にエレベータを動作させるためのエレベータコール信号を送信する親機制御部を有し、制御装置は、エレベータコール信号を受けて、呼出元の居室親機のあるフロアにエレベータ籠が移動するようエレベータ制御装置にエレベータ誘導信号を生成して送信するエレベータ誘導信号生成部を有することを特徴とする。
この構成によれば、外出する際に居室親機において留守モード或いは防犯モードへ移行操作すると、即時或いは特定の遅延時間経過後にエレベータコールが成されるため、エレベータコールをし忘れることが無くなるし、外出時の操作を簡略化できる。
【０００７】
請求項２の発明は、請求項１に記載の構成において、モード移行操作部の操作が防犯モードへの移行操作であり、親機制御部は、防犯モードへの移行が完了したらエレベータコール信号を送信することを特徴とする。
この構成によれば、防犯モードへの移行完了に合わせてエレベータコールが成されるため、自宅から出た時点でエレベータコールが成される。よって、外出するタイミングとエレベータ動作のタイミングが合わず、エレベータが早く到着してしまうといった問題を解消できる。
【０００８】
請求項３の発明は、請求項１又は２に記載の構成において、制御装置は、エレベータコール信号を受け付けないフロアが登録された禁止フロア記憶部を有し、エレベータ誘導信号生成部は、エレベータコール信号送信元の居室親機が禁止フロア記憶部に登録された禁止フロアにある場合は、エレベータ誘導信号を生成しないことを特徴とする。
この構成によれば、低層階である例えば１〜３階を禁止フロアとして登録すれば、低層階に設置された居室親機から防犯モード設定等に連動してエレベータコール信号が送信されても、制御装置が受け付けないため、低層階で頻繁に止まることが無くなり、高層に居住する居住者が迷惑する事態を防止できる。
【発明の効果】
【０００９】
本発明によれば、外出する際に居室親機において留守モード或いは防犯モードへ移行操作すると、即時或いは特定の遅延時間経過後にエレベータコールが成されるため、エレベータコールをし忘れることが無くなるし、外出時の操作を簡略化できる。
【図面の簡単な説明】
【００１０】
【図１】本発明に係る集合住宅インターホンシステムの一例を示す構成図である。
【図２】居室親機の回路ブロック図である。
【図３】制御装置の回路ブロック図である。
【発明を実施するための形態】
【００１１】
以下、本発明を具体化した実施の形態を、図面を参照して詳細に説明する。図１は本発明に係る集合住宅インターホンシステムの一例を示す構成図であり、１は集合住宅のエントランス等に設置されて来訪者が居住者を選択して呼び出すための集合玄関機、２は各住戸に設置されて来訪者からの呼出に応答して通話するための居室親機、３は管理室に設置されて管理人が居住者或いは来訪者と通話するための管理室親機、４は機器間の通信を制御する制御装置、５は図示しないエレベータを制御するエレベータ制御装置、６は人感センサ等の防犯センサである。
集合玄関機１、管理室親機３はそれぞれ伝送線Ｌ１，Ｌ２を介して制御装置４に接続され、居室親機２は親機幹線Ｌ３を介して制御装置４に接続されている。また、制御装置４は通信線Ｌ４を介してエレベータ制御装置５と接続され、防犯センサ６は居室親機２に接続されている。
【００１２】
図２は居室親機２の回路ブロック図を示している。図２に示すように、居室親機２は応答するための通話ボタン２１、マイク及びスピーカ（図示せず）を備えた通話部２２、防犯モードに移行して防犯センサ６をオン操作する防犯設定ボタン（モード移行操作部）２３、集合玄関機１に設けられたカメラ１１の撮像映像を表示したり各種情報を表示する表示部２４、表示部２４に表示する映像や情報を処理する映像処理部２５、防犯設定されてから防犯モードに移行するまでの遅延時間をカウントするタイマ部２６、居室親機２を制御する親機ＣＰＵ２７、防犯センサ６が接続されるセンサ接続部２８、制御装置４と通信する親機通信ＩＦ２９等を備えている。
【００１３】
図３は制御装置４の部分回路ブロック図を示している。図３に示すように、居室親機２の設置フロアを記憶する居室親機フロア情報記憶部４１、エレベータ制御装置５に信号を送信しないフロアを記憶する禁止フロア記憶部４２、機器間の通話及び通信を制御する制御装置ＣＰＵ４３、集合玄関機１、居室親機２、管理室親機３が接続される第１通信ＩＦ４４、エレベータ制御装置５が接続される第２通信ＩＦ４５等を備えている。
【００１４】
上記の如く構成された集合住宅インターホン装置の動作は以下のようである。但し、集合玄関機１から居住者を呼び出し、呼び出しを受けた居住者が居室親機２を操作して応答する動作は従来と同様であるため説明を省略し、ここでは居室親機２のモード移行操作とエレベータコールについて説明する。
【００１５】
居住者が外出して留守にする際、居室親機２が備えているセキュリティ機能を能動とするために、防犯設定ボタン２３が押下される。この操作を受けて、親機ＣＰＵ２７の制御によりタイマ部２６に予め設定された特定の遅延時間（例えば３０秒）のカウントを開始させ、この時間が経過したら防犯モードに移行して防犯センサ６がオン状態となる。例えば、防犯モード状態で防犯センサ６である人感センサが感知動作したら、居室親機２から管理室親機３等に異常発生信号が送信される。尚、居住者はこの遅延時間が経過するまでに玄関から外に出る。
そして、遅延時間が経過したら、即ち防犯モードへの移行完了に合わせて居室親機２からエレベータコール信号が制御装置４に出力される。このエレベータコール信号は、居室親機ＩＤ情報が添付されており、親機幹線Ｌ３を介して制御装置４に伝送される。
【００１６】
エレベータコール信号を受信した制御装置４では、制御装置ＣＰＵ４３の制御により、エレベータコール信号に添付されている居室親機ＩＤ情報から居室親機２が設置されているフロアを居室親機フロア情報記憶部４１から読み取り、更にそのフロアが禁止フロア記憶部４２に登録されたフロアかどうか読み取り、登録されていたらエレベータ誘導信号生成の有無を判断する。
例えば、禁止フロア記憶部４２に１〜３階が登録されていたら、１〜３階の居室親機２からエレベータコール信号が送信されてもエレベータ誘導信号を生成しないが、３階より上のフロアであったら、エレベータコール信号送信元の居室親機のあるフロアにエレベータ籠を移動させるためのエレベータ誘導信号を生成してエレベータ制御装置５に送信する。この信号を受信したエレベータ制御装置５は、エレベータ籠の移動制御を開始する。
【００１７】
このように、外出する際に居室親機において留守モード或いは防犯モードへ移行操作すると、即時或いは特定の遅延時間経過後にエレベータコールが成されるため、エレベータコールをし忘れることが無くなるし、外出時の操作を簡略化できる。
この構成によれば、防犯モードへの移行完了に合わせてエレベータコールが成されるため、自宅から出た時点でエレベータコールが成される。よって、外出するタイミングとエレベータ動作のタイミングが合わず、エレベータが早く到着してしまうといった問題を解消できる。
この構成によれば、低層階である例えば１〜３階を禁止フロアとして登録すれば、低層階に設置された居室親機から防犯モード設定等に連動してエレベータコール信号が送信されても、制御装置が受け付けないため、低層階で頻繁に止まることが無くなり、高層に居住する居住者が迷惑する事態を防止できる。
【００１８】
尚、上記実施形態では、防犯モードへの移行に合わせてエレベータコール信号を送出したが、防犯設定ボタン２３が操作されたら遅延させずにエレベータコール信号を出力させてもよい。
また、モード移行操作部を防犯設定ボタン２３で説明したが、外出時の他の設定、例えば不在時に来訪者があったら自動録画したり音声を録音する留守モードに設定する操作や外出モードに設定する操作にエレベータコール信号の出力を連動（即時出力或いは遅延出力）させても良く、同様にエレベータコールをし忘れることが無くなるし、外出時の操作を簡略化できる。
更に、防犯設定ボタン２３を操作してから防犯モードに移行するまで一定時間を設けて、居住者が玄関から出るまでの時間を設けているが、この遅延時間に余裕があり、図示しない玄関子機の呼出ボタンの長押し等で遅延時間を待たずにモード移行できる構成である場合は、そのタイミングでエレベータコール信号を出力させても良い。
【符号の説明】
【００１９】
１・・集合玄関機、２・・居室親機、３・・管理室親機、４・・制御装置、５・・エレベータ制御装置、６・・防犯センサ、２３・・防犯設定ボタン（モード移行操作部）、２６・・タイマ部、２７・・親機ＣＰＵ（親機制御部）、４１・・居室親機フロア情報記憶部、４２・・禁止フロア記憶部、４３・・制御装置ＣＰＵ（エレベータ誘導信号生成部）。
【図１】
2017152973.tif 000003
【図２】
2017152973.tif 000004
【図３】
2017152973.tif 000005